(57)【要約】【課題】防水性の向上を図るとともに、メンテナンス性の向上を図った照明装置および照明ユニットを提供することにある。【解決手段】長尺の実装基板と、前記実装基板の長手方向に沿い、該実装基板の第１面に搭載された複数のＬＥＤと、前記第１面の反対の第２面の前記実装基板に取着された放熱部材と、前記実装基板を取着した状態の前記放熱部材が一方の開放端から挿入された透光性の管型カバー部材と、前記管型カバー部材の長手方向の少なくもと一方から前記ＬＥＤに給電するために取着した給電部と、を備えた。【選択図】図１
2015173007.tif 000002
【特許請求の範囲】
【請求項１】
長尺の実装基板と、
前記実装基板の長手方向に沿い、該実装基板の第１面に搭載された複数のＬＥＤと、
前記第１面の反対の第２面の前記実装基板に取着された放熱部材と、
前記実装基板を取着した状態の前記放熱部材が一方の開放端から挿入された透光性の管型カバー部材と、
前記管型カバー部材の長手方向の少なくもと一方から前記ＬＥＤに給電するために取着した給電部と、を備えた照明装置。
【請求項２】
前記ＬＥＤの光出射面と前記管型カバー部間にレンズを配置した、請求項１記載の照明装置。
【請求項３】
前記管型カバー部材に拡散材を含有した、請求項１記載の照明装置。
【請求項４】
前記放熱部材に形成した凹状（凸状）部と前記管型カバー部材の内面に形成した凸状（凹状）部をスライド自在に取着し、前記放熱部材を前記管型カバー部材から出し入れ自在とした、請求項１記載の照明装置。
【請求項５】
前記レンズの両側に形成されたガイド部と前記管型カバー部材の内面に形成した凹状部をスライド自在に取着し、前記レンズを前記管型カバー部材から出し入れ自在とした、請求項１記載の照明装置。
【請求項６】
前記レンズは、異なる焦点距離のものに替えて前記管型カバー部材の取着可能とした、請求項５記載の照明装置。
【請求項７】
前記レンズは、前記ＬＥＤとの間隔が遠い第１の位置と近い第２の位置を、前記管型カバー部材内で保持可能とした、請求項１記載の照明装置。
【請求項８】
前記放熱部材は、長手方向を中空に形成した、請求項１記載の照明装置。
【請求項９】
前記管型カバー部材の外周部に、第２管型カバー部材を配置し、該第２管型カバー部材と前記管型カバー部材との間で周方向に回動可能とした請求項１〜８の何れか一項に記載の照明装置。
【請求項１０】
前面に開口を有するショーケース本体内に、複数の商品陳列棚が画成されるショーケースであって、
前記ショーケース本体内上部に、請求項１〜９のいずれか一項記載の照明装置を取着した、照明システム。
【請求項１１】
請求項１〜９のいずれか一項記載の照明装置を、冷凍庫または冷蔵庫内の照明として搭載した、照明システム。
【発明の詳細な説明】
【技術分野】
【０００１】
この発明の実施形態は、光源として発光ダイオード（ＬＥＤ）を用いた照明装置およびこの照明装置を用いた照明ユニットに関する。
【背景技術】
【０００２】
従来、光源として発光ダイオードを用いた管型の照明装置が知られている。（例えば、特許文献１）
特許文献１は、第１の方向に列状に配置された複数の発光素子と、発光素子が搭載された実装基板と、発光素子の光出射面側を覆うように配置されるとともに、略円弧状の断面を有し、かつ、第１の方向に延びるように形成された透光性カバー部材と、実装基板が搭載されるとともに、透光性カバー部材に取り付けられる放熱部材とを備え、放熱部材は、透光性カバー部材の外側に放熱する外側放熱部と、透光性カバー部材の内側に放熱する内側放熱部とを含むものである。
【先行技術文献】
【特許文献】
【０００３】
【特許文献１】特開２０１０−６２０２３号公報
【発明の概要】
【発明が解決しようとする課題】
【０００４】
上記した特許文献１の技術は、発光素子の実装基板が搭載された放熱部材と断面Ｃ字状の透光性カバー部材は、長手方向で取り付けられている。すなわち、照明装置の長手方向に渡って接合部があることになる。例えば冷蔵ショーケースでは、照明装置内に水分が付着し、回路等に不具合が発生する可能性を排除するため、防水を施す必要がある。この防水は経年変化により防水性が低下するおそれがある、という課題がある。
【０００５】
また、透光性カバー部材と放熱部との防水を取るためには、接着剤等の固着手段が必要である。このため、実装基板等に不具合が発生した場合のメンテナンス性も低い、という課題がある。
【０００６】
この発明の目的は、防水性の向上を図るとともに、メンテナンス性の向上を図った照明装置および照明ユニットを提供することにある。
【課題を解決するための手段】
【０００７】
上記した課題を解決するために、この発明の照明装置は、長尺の実装基板と、前記実装基板の長手方向に沿い、該実装基板の第１面に搭載された複数のＬＥＤと、前記第１面の反対の第２面の前記実装基板に取着された放熱部材と、前記実装基板を取着した状態の前記放熱部材が一方の開放端から挿入された透光性の管型カバー部材と、前記管型カバー部材の長手方向の少なくもと一方から前記ＬＥＤに給電するために取着した給電部と、を備えた。
【図面の簡単な説明】
【０００８】
【図１】この発明の照明装置にかかる第１の実施形態について説明するための一部切欠斜視図である。
【図２】第１の実施形態の正面から見た状態の一部切欠正面図である。
【図３】図２の側面図である。
【図４】図２のソケットを正面から拡大して示す正面図である。
【図５】図２Ａ−Ａ線拡大断面図である。
【図６】第１の実施形態の動作について説明するための断面図である。
【図７】この発明の照明装置にかかる第２の実施形態について説明するための断面図である。
【図８】第２の実施形態の動作について説明するための図である。
【図９】第２の実施形態の動作について説明するための図である。
【図１０】この発明の照明装置にかかる第３の実施形態について説明するための一部切欠斜視図である。
【図１１】第３の実施形態の動作について説明するための図である。
【図１２】第３の実施形態の動作について説明するための図である。
【図１３】この発明の照明ユニットにかかる実施形態について説明するための側断面図である。
【図１４】照明ユニットに用いられる点灯回路例について説明するための概略的な構成図である。
【発明を実施するための形態】
【０００９】
以下、この発明を実施するための形態について、図面を参照しながら詳細に説明する。各実施形態において、同一の構成部分には同一の符号を付して説明する。
【００１０】
（第１の実施形態）
図１〜図５は、この発明の照明装置にかかる第１の実施形態について説明するための図である。図１は、一部切欠斜視図である。図２は第１の実施形態の正面から見た状態の一部切欠正面図である。図３は、図２の側面図である。図４は、図２のソケットを正面から拡大して示す正面図である。図５は、図２Ａ−Ａ線拡大断面図である。
【００１１】
照明装置１００は、図１〜図５に示すように、ＬＥＤ１１と、実装基板１２と、管型カバー部材１３と、放熱部材１４と、レンズ１５、ソケット１６とを備えている。
【００１２】
ＬＥＤ１１は、長尺状の実装基板１２の長手方向の第１面（表面）に１列状に複数の搭載されている。管型カバー部材１３は、透光性の円筒形状をしている。管型カバー部材１３には、実装基板１２を開口端から挿入し、ＬＥＤ１１の光出射面１１ａ、非光出射面側１１ｂを覆うように配置されている。放熱部材１４には、実装基板１２の第２面（裏面）が取着されている。レンズ１５は、棒状の凸レンズであり、ＬＥＤ１１上に配置されている。ＬＥＤ１１に給電するための給電部であるソケット１６は、管型カバー部材１３と放熱部材１４の両端部に取り付けられている。
【００１３】
なお、レンズ１５は、凸レンズに限らず、凹レンズ、フレネルレンズなど、レンズ効果を備えるものであれば構わない。さらに、レンズ１５は、取り外した状態での使用も可能である。この場合は、配光を調整するレンズ１５がなくなることから、配光の角度が広がることになる。例えば、一旦レンズ１５が取着された状態で据え付けられた照明装置１００からレンズ１５を取り出し、配光角度を変更することができる。
【００１４】
ＬＥＤ１１は、図示しない接着層などを介して、実装基板１２に固定されているとともに、電気的に接続されている。
【００１５】
実装基板１２は、図示しない配線を配してソケット１６のソケットピン１６ａ，１６ｂに電気的に接続されている。
【００１６】
管型カバー部材１３は、直管の透明または半透明の例えばポリカーボネート樹脂からなる。ソケット１６とソケット１６との間に配置されている。管型カバー部材１３は、実装基板１２が冷気や水蒸気などの水分と直接触れないように形成されている。管型カバー部材１３は、ＬＥＤ１１の光出射面１１ａと対向する位置側が少なくとも透光性で形成されている。管型カバー部材１３の光放出部には、拡散材を入れてある。拡散材は、グレアを防止する。
【００１７】
管型カバー部材１３は、ＬＥＤ１１の非光出射面１１ｂ（背面）と対向する位置が非透光性で形成され、ＬＥＤ１１の発光光が外部に漏れないようにしてもよい。
【００１８】
放熱部材１４は、アルミニウムなどの金属からなり、例えば押出成形により形成されている。放熱部材１４は、長手方向の側面に凹状部１４ａ，１４ｂが形成されている。放熱部材１４は、押出成形時に中空部１４ｃが形成されている。中空部１４ｃは、放熱効果を高めるとともに、放熱部材１４自体の軽量化を図る目的がある。
【００１９】
さらに、放熱部材１４は、管型カバー部材１３と対向する面の短手方向に、波型１４ｄが形成されている。波型１４ｄは、表面積を広くすることで放熱効果を高める効果を持たせている。波型１４ｄは、凹凸でもよい。
【００２０】
レンズ１５は、透明な例えばポリカ―ポネート樹脂で構成されている。レンズ１５は、配光調整を行うものである。レンズ１５の短手方向の両側部には、突出させた状態のガイド部１５ａ，１５ｂが一体形成されている。
【００２１】
図５に示すように、管型カバー部材１３の内面には、一端から他端までの長手方向に対向して伸びる凸状部１３ａ，１３ｂが一体形成されている。凸状部１３ａ，１３ｂには、放熱部材１４の凹状部１４ａ，１４ｂが係合されている。凹状部１４ａ，１４ｂへの係合は、凸状部１３ａ，１３ｂに凹状部１４ａ，１４ｂを位置合わせし、放熱部材１４を管型カバー部材１３内でスライドさせることで係合される。なお、凸状部１３ａ，１３ｂと凹状部１４ａ，１４ｂは、凸状と凹状が逆であっても構わない。
【００２２】
凸状部１３ａ，１３ｂ上部の管型カバー部材１３の内面には、一端から他端までの長手方向に対向して伸びる凹状部１３ｃ，１３ｄが一体形成されている。凹状部１３ｃは、管型カバー部材１３に一体形成により併設されたリブ１３ｃ１，１３ｃ２により構成される。凹状部１３ｄは、管型カバー部材１３に一体形成により併設されたリブ１３ｄ１，１３ｄ２により構成される。
【００２３】
凹状部１３ｃ，１３ｄには、レンズ１５のガイド部１５ａ，１５ｂが係合されている。凹状部１３ｃ，１３ｄへの係合は、ガイド部１５ａ，１５ｂを凹状部１３ｃ，１３ｄに位置合わせし、レンズ１５を管型カバー部材１３内でスライドさせることで係合される。なお、レンズ１５は、焦点距離の異なるレンズに交換することも可能である。この場合は、焦点距離が違う分、配光も異なる。
【００２４】
管型カバー部材１３内に取り付けられた実装基板１２とレンズ１５は、空間部１８を介してほぼ平行な状態で支持されている。
【００２５】
次に図６を参照し、第１実施形態の動作について説明する。図６は図５の照明装置１００を上下逆の状態で示す。
【００２６】
図６において、ＬＥＤ１１を点灯すると、ＬＥＤ１１の発光光は、レンズ１５に到達する。レンズ１５を通過するときに光は、屈折する。レンズ１５は凸レンズであり、屈折は光を絞る方向に屈折する。
【００２７】
従って、ほぼ１８０度の方向に放射されたＬＥＤ１１の発光光は、レンズ１５で絞られ、配光角θ１で出射する。図中の配光角θ１は、例えば９０度程度である。
【００２８】
なお、図６では、実装基板１２とレンズ１５間の側方に放射される光については省略してある。実装基板１２とレンズ１５間の側方に放射される光は、例えば管型カバー部材１３の一部を黒色にするなどの光を遮蔽する手段を講じ、ＬＥＤ１１から出射される光は、レンズ１５を介して放射するようにしてもよい。
【００２９】
このように、ＬＥＤ１１の発光光をレンズ１５により配光で放射させることができる照明装置１００を実現することができる。照明装置１００は、ＬＥＤ１１が搭載された実装基板１２を管型カバー部材１３内に収納していることから、管型カバー部材１３の両端間にはつなぎ目がない。このために、実装基板１２などに対する防水性の向上を図ることができる。このために、防水の必要のある例えば冷蔵ショーケースなどの照明装置として適用が可能となる。
【００３０】
ＬＥＤ１１が搭載された実装基板１２は、管型カバー部材１３内の凸状部１３ａ，１３ｂに沿ってスライドさせながら出し入れが可能である。一旦取着した実装基板１２の取り出しが可能なことから、メンテナンス性の向上を図ることができる。
【００３１】
この実施形態では、防水性の向上を図ることができるとともに、メンテナンス性の向上を図ることができる。
【００３２】
（第２の実施形態）
図７は、この発明の照明装置にかかる第２の実施形態について説明するための断面図である。
【００３３】
この実施形態では、第１実施形態のＬＥＤ１１に近い側に凹状部１３ｃ，１３ｄと隣り合わせに凹状部１３ｅ，１３ｆが形成された。凹状部１３ｅは、凹状部１３ｃのリブ１３ｃ２と新たに設けたリブ１３ｅ１から構成される。凹状部１３ｆは、凹状部１３ｄのリブ１３ｄ２と新たに設けたリブ１３ｆ１から構成される。
【００３４】
凹状部１３ｅ，１３ｆには、レンズ１５のガイド部１５ａ，１５ｂを係合することができる。凹状部１３ｅ，１３ｆへ係合する場合は、レンズ１５のガイド部１５ａ，１５ｂを凹状部１３ｅ，１３ｆに位置合わせし、レンズ１５を管型カバー部材１３内でスライドさせることで係合される。
【００３５】
レンズ１５は、凹状部１３ｃ，１３ｄに係合される第１の位置と、凹状部１３ｅ，１３ｆに係合される第２の位置を選択することができる。第１の位置の場合は、ＬＥＤ１１から離れ、第２の位置の場合は、ＬＥＤ１１に近づく位置関係となる。
【００３６】
管型カバー部材１３内に取り付けられた実装基板１２とレンズ１５は、空間部１８を介してほぼ平行な状態で支持されている。この空間部１８は、レンズ１５の係合位置により広くなったり、狭くなったりする。
【００３７】
図８は、レンズ１５の係合が第１の位置のおける配光を示す。図９は、レンズ１５の係合が第２の位置における配光を示す。なお、図８、図９の照明装置は、図７を上下した状態で示している。
【００３８】
図８の場合の配光角は、図６と同様にθ１である。必ずしもθ１にする必要はない。図９の場合の配光角は、θ２である。図中のθ２は、例えば１２０度程度である。レンズ１５がＬＥＤ１１に近い側の配光角θ２が、遠い側よりの配光角θ１よりも大きい関係（θ２＞θ１）にある。すなわち、図８の状態で係合されたレンズ１５の場合は、比較的狭い範囲を照射し、図９の状態で係合されたレンズ１５の場合は、図８よりも広い照射範囲となる。
【００３９】
図８、図９の場合においても、図６と同様に実装基板１２とレンズ１５間の側方に放射される光については省略してある。実装基板１２とレンズ１５間の側方に放射される光は、例えば管型カバー部材１３の一部を黒色にするなどの光を遮蔽する手段を講じ、ＬＥＤ１１から出射される光は、レンズ１５を介して放射するようにしてもよい。
【００４０】
この実施形態は、同一構成の照明装置１００でありながら、レンズ１５の係合位置を第１または第２を選択することによって、異なる目的の照射を得ることができる。
【００４１】
（第３の実施形態）
次に、第３の実施形態について図１０〜図１２を参照して説明する。図１０は断面図である。図１１および図１２は、図１１の作用について説明するための説明図である。
【００４２】
この実施形態は、第１の実施形態の管型カバー部材１３外周に、第２管型カバー部材２０が取着されている。管型カバー部材１３は、第２管型カバー部材２０の内周方向に回動可能に取着されている。
【００４３】
図１１は、図中時計方向にθ３の角度（３０度程度）回動させた状態を示す。図１２は、図中反時計方向にθ４の角度（２０度程度）回動させた状態を示す。これにより、照明装置１００の照射角度の変更が可能となる。
【００４４】
このように、照明装置の照射方向を簡単に変えられることから、設置場所や照明の照射条件に対する柔軟性を向上させることが可能となる。なお、この実施形態において、第２の実施形態との合わせた場合は、照射角度と照射範囲の変更も可能となり、より柔軟性の向上を図ることが可能となる。
【００４５】
この実施形態では、第２管型カバー部材を管型カバー部材の外側に挿入したことにより、第２管型カバー部材の内側にある照明装置を回動させることができる。これにより、照明装置の設置条件に対するニーズに対応することができる。
【００４６】
図１３は、この発明の一実施形態による照明装置を備えた照明システムとしてショーケースの構造を示した側断面図である。例示するショーケースは、スーパーマーケット等の店舗において冷凍食品や生鮮食品等の図示しない商品を陳列販売するためのオープンショーケースと言われるものである。ショーケースは、ショーケース本体５０を備えている。ショーケース本体５０は、前面および両側面が開口した形状を成すもので、外表面を構成する外箱５１と、内表面を構成する内箱５２とを備えている。
【００４７】
外箱５１は、底面部５１ａと、外方背壁部５１ｂと、外方上壁部５１ｃとを備えている。内箱５２は、デッキパン部５２ａと、内方背壁部５２ｂと、内方上壁部５２ｃとを備え、これらデッキパン部５２ａ、内方背壁部５２ｂおよび内方上壁部５２ｃによって囲まれる空間に商品収容庫５３を画成している。
【００４８】
ショーケースには、ショーケース本体５０における外方上壁部５１ｃに、１００ａ〜１００ｃの、この発明の一実施形態による照明装置１００が３灯（３列）設置されている。
【００４９】
照明装置１００ａ，１００ｂは、外方上壁部１１ｃの前端部から前方に向けて突設したトップケース５７に取着されている。トップケース５７は、最下段に位置する商品陳列棚５４ａ〜５４ｄの商品陳列棚５４ｄの前端縁よりもさらに前方に突出したボックス状部分と、その下方に向く部位にライトレール５５を構成している。ライトレール５５は、後方に向けて漸次上方に傾斜する態様で延在した平板状部分である。ライトレール５５は、鉛直面に対する傾斜角度αが６５〜８５°の範囲にあることが好ましく、７５°の傾斜角度αをもつのがより好ましい。照明装置１００ｃは、内方背壁部５２ｂの前端部に取着されている。
【００５０】
照明装置１００ａは、例えばトップケース５７のライトレール５５から商品取出下端部５６から商品陳列棚５４ｄに陳列した商品までの付近に照明光を照射するためのものである。
【００５１】
照明装置１００ｂは、例えばトップケース５７のライトレール５５からデッキパン部５２ａから商品陳列棚５４ｂに陳列した商品までの付近に照明光を照射するためのものである。
【００５２】
照明装置１００ｃは、例えば内方背壁部５２ｂの上部、商品陳列棚５４ａそれにデッキパン部５２ａまで付近に照明光を照射するためのものである。
【００５３】
そして、照明装置１００ａ〜１００ｃは、照明装置の第１の実施形態を搭載することで、照明装置１００ａ〜１００ｃの防水性向上を図ることができるとともに、メンテナンス性の向上を図ることができる。
【００５４】
図１３に示すショーケースの照明装置１００ａ〜１００ｃは、例えば図１４に示す点灯装置２００により点灯される。
【００５５】
図１４に示す概略的な点灯装置２００は、ＡＣ／ＤＣコンバータ（交流直流変換器）２０１、点灯回路２０２ａ〜２０２ｃを備える。
【００５６】
ＡＣ／ＤＣコンバータ２０１は、商用電源等の交流電源ＡＣからの交流電圧を整流および平滑化して直流電圧に変換する回路であり、ダイオードブリッジＤＢおよびコンデンサＣ１で構成される。つまり、ダイオードブリッジＤＢの交流入力端子間に交流電源ＡＣが接続され、ダイオードブリッジＤＢの直流出力端子間に平滑化用のコンデンサＣ１が接続されている。
【００５７】
点灯回路２０２ａは、ＡＣ／ＤＣコンバータ２０１からの直流電圧を入力とし、ＬＥＤ１１に供給する電流を生成する回路であり、ＤＣ／ＤＣコンバータとして機能するチョッパ回路の一部を構成している。点灯回路２０２ａは、入力された直流電圧をチョッピングするためのチョークコイルＬ、そのチョークコイルＬに蓄積されたエネルギーを回生させるためのダイオードＤ、および平滑化用のコンデンサＣ２で構成される。チョークコイルＬ、ダイオードＤおよびＬＥＤ１１は、回路ループを形成するように接続されている。コンデンサＣ２は、ＬＥＤ１１と並列に接続され、この点灯回路２０２ａの出力電圧（および出力電流）を平滑化する。
【００５８】
点灯回路２０２ａから出力される直流の出力電圧は、ＬＥＤ１１に供給し、ＬＥＤ１１を点灯する。なお、点灯回路２０２ｂ，２０２ｃも点灯回路２０２ａと同じような構成をし、照明装置１００ｂ，１００ｃをそれぞれ点灯する。
【００５９】
なお、点灯回路２０２ａ〜２０２ｃには、それぞれ調光装置を備えてもよい。調光装置では、点灯回路２０２ａ〜２０２ｃの出力電流を制御することにより調光信号を得ることができる。ＬＥＤ１１は、調光信号のレベルに応じての明るさを変えることができる。
【００６０】
上記では、照明システムとして照明装置の第１の実施形態をショーケースの照明装置１００ａ〜１００ｃとして説明した。ショーケースの照明装置１００ａ〜１００ｃとして、照明装置の第２の実施形態を適用した場合について考える。
【００６１】
ここで、図１３中における照明装置１００ａ〜１００ｃの照射角度は、１００ａ＝１００ｂ＜１００ｃの関係に設定したとする。
【００６２】
近くを広角度で照射することが必要な照明装置１００ｃの場合は、レンズ１５を凹状部１３ｅ，１３ｆに係合し、図９の状態にする。この場合は、θ２の照射角が得られ、ショーケースで必要な内方背壁部５２ｂの上部、商品陳列棚５４ａそれにデッキパン部５２ａまで付近に照明光を照射することが可能となる。
【００６３】
比較的狭い角度で離れた位置まで照射することが必要な照明装置１００ｂ，１００ｃの場合は、それぞれレンズ１５を凹状部１３ｃ，１３ｄに係合し、図８の状態にする。この場合は、θ１の照射角が得られる。そして、照明装置１００ｂは、トップケース５７のライトレール５５からデッキパン部５２ａから商品陳列棚５４ｂに陳列した商品までの付近に照明光を照射することが可能となる。照明装置１００ｃは、内方背壁部５２ｂの上部、商品陳列棚５４ａそれにデッキパン部５２ａまで付近に照明光を照射することが可能となる。
【００６４】
このように、照明装置１００（１００ａ〜１００ｃ）は、レンズ１５の係合位置を照射目的により変更することが可能である。従って、照明装置１００は、取り付ける作業現場においてもレンズ１５を抜き差しすることで、第１の位置あるいは第２の位置を相互に変更することが可能となる。
【００６５】
さらに、照明装置の第３の実施形態と第２の実施形態を組み合わせてショーケースに適用することができる。この場合は、より細かな配光調整が可能となり、ショーケースに対する照明の照度調整などをスムースに行うことも可能となる。
【００６６】
この発明は以上説明した実施形態に記載した内容に限定されるものではない。たとえば、上記実施形態では、この発明の照明装置を、商品陳列用の冷凍庫や冷蔵庫などのショーケースの照明装置に適用した例について示したが、家庭用の冷凍庫や冷蔵庫の照明装置に適用してもよいし、冷凍庫や冷蔵庫以外の機器の照明装置に適用してもよい。
【００６７】
上記実施形態では、発光ダイオードの例について示したが、この発明はこれに限らず、発光ダイオード以外の素子を含む発光素子を用いてもよい。
【００６８】
また、上記実施形態では、ＬＥＤ１１を１列状に配置した例について説明したが、この発明はこれに限らず、例えば、２列状（複数列状）に配置してもよいし、２列状の配列を、１列目のＬＥＤ１１と２列目のＬＥＤ１１とを千鳥状に配置してもよい。
【００６９】
上記実施形態では、管型カバー部材１３の両端部に、ソケット１６を配置した例について示したが、管型カバー部材１３の両端部に、樹脂などからなる蓋部材を配置してもよい。具体的には、蓋部材に開けた貫通穴にリード線（端子）を通して、ＬＥＤ１１に給電してもよい。
【００７０】
上記実施形態では、ポカ―ボネート樹脂からなる管型カバー部材１３を用いた例について示したが、この発明はこれに限らず、ポリカ―ポネート樹脂以外の樹脂からなる透光性カバー部材を用いてもよいし、ガラス製の透光性カバー部材を用いてもよい。
【００７１】
上記実施形態では、１つの実装基板上にＬＥＤ１１を搭載する構成例について説明したが、複数の実装基板にそれぞれＬＥＤを搭載するようにしてもよい。
【００７２】
さらに、上記実施形態では、照明装置を直管状に形成した例について示したが、この発明はこれに限らず、照明装置を、直管状以外の、例えば、Ｕ字状や楕円上などに形成してもよい。
【００７３】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００７４】
１００，１００ａ〜１００ｃ  照明装置
１１  ＬＥＤ
１２  実装基板
１３  管型カバー部材
１３ａ，１３ｂ  凸状部
１３ｃ，１３ｄ  凹状部
１３ｃ１，１３ｃ２，１３ｄ１，１３ｄ２  リブ
１４  放熱部材
１４ａ，１４ｂ  凹状部
１４ｃ  中空部
１５  レンズ
１５ａ，１５ｂ  ガイド部
１６  ソケット  
１８  空間部
２０  第２管型カバー部材
５０  ショーケース本体
【図１】
2015173007.tif 000003
【図２】
2015173007.tif 000004
【図３】
2015173007.tif 000005
【図４】
2015173007.tif 000006
【図５】
2015173007.tif 000007
【図６】
2015173007.tif 000008
【図７】
2015173007.tif 000009
【図８】
2015173007.tif 000010
【図９】
2015173007.tif 000011
【図１０】
2015173007.tif 000012
【図１１】
2015173007.tif 000013
【図１２】
2015173007.tif 000014
【図１３】
2015173007.tif 000015
【図１４】
2015173007.tif 000016